(57)【要約】【課題】天敵昆虫の餌昆虫とその餌植物を軽量かつコンパクトに運搬し、天敵昆虫の使用を容易にする、天敵昆虫の餌昆虫及びその餌植物の運搬方法、その方法に使用する運搬用装置、並びに天敵昆虫の餌昆虫の使用方法を提供する。【解決手段】天敵昆虫の餌昆虫とその餌植物の茎、葉、花房のみを緩衝材を配置した装置内に保持して輸送、運搬し、天敵を使用する圃場内に放し、餌昆虫及び天敵昆虫を効率的に増加させる。【選択図】図１
2006230229.tif 000002
【特許請求の範囲】
【請求項１】
天敵昆虫の餌昆虫と餌昆虫の餌植物とを緩衝材で保護した容器内に入れて輸送、運搬し、農作物栽培圃場において予め育てた餌昆虫の餌植物上に当該餌昆虫を放し、その後に農作物の害虫に対する天敵昆虫を当該餌昆虫に寄生させて増殖させ、当該害虫の増加を抑制し農作物の被害を未然に防ぐことを特徴とする天敵昆虫の餌昆虫の運搬方法。
【請求項２】
請求項１の天敵昆虫の餌昆虫の運搬方法に使用するための装置であって、天敵昆虫の餌昆虫と餌植物を保護するための緩衝材を容器内に備えた天敵昆虫の餌昆虫の運搬用装置。
【請求項３】
当該餌昆虫がアブラムシ類であり、当該天敵昆虫がアブラバチ類であり、当該餌植物がイネ科植物であり、当該餌昆虫であるアブラムシ類が寄生した茎葉のみを切り集めて請求項２に記載の装置に入れ、輸送、運搬することを特徴とする請求項１に記載の餌昆虫の運搬方法。
【請求項４】
当該餌昆虫がムギクビレアブラムシ及び当該天敵昆虫がコレマンアブラバチであるか、又は、当該餌昆虫がムギヒゲナガアブラムシ及び当該天敵昆虫がエルビーアブラバチであって、当該餌植物が麦類の茎葉であり、当該餌昆虫が寄生した茎葉のみを切り集めて請求項２の装置に入れ、輸送、運搬することを特徴とする請求項３に記載の餌昆虫の運搬方法。
【請求項５】
当該餌昆虫がハナアザミウマなどのアザミウマ類であり、当該天敵昆虫がタイリクヒメハナカメムシ、デジェネランスカブリダニ及びアリガタシマアザミウマなどのカメムシ類、ダニ類及びアザミウマ類であって、当該餌植物がスベリヒユ、バーベナ、ローマンカモミールなどのキク科植物、及びトウモロコシ雌蕊と花粉から選ばれる１種以上であり、当該餌昆虫が寄生した茎葉花房又は雌蕊と花粉のみを切り集めて請求項２の装置に入れ、輸送、運搬することを特徴とする請求項１に記載の餌昆虫の運搬方法。
【請求項６】
当該餌昆虫及び餌植物を入れる装置が、プラスチック製の円筒形若しくは直方体又は袋状を呈する装置であって、外部からの圧迫により破壊し難く、かつ内壁に当該餌昆虫を保護する目的の緩衝材を配置することを特徴とする請求項２に記載の餌昆虫の運搬用装置。
【請求項７】
当該餌昆虫及び餌植物を入れる装置が、プラスチック製の袋状であって、成型された骨格を有し、当該餌昆虫としてのムギクビレアブラムシ又はムギヒゲナガアブラムシ及び当該餌植物としての麦の茎葉の輸送中に、如何なる方向に向けてもその運搬が可能である請求項６に記載の餌昆虫の運搬用装置。
【請求項８】
当該餌昆虫及び餌植物を入れる装置が、プラスチック製の袋状であって、成型された骨格を有し、当該餌昆虫としてのハナアザミウマ及び当該餌植物としてのスベリヒユ、バーベナ、若しくはローマンカモミールなどのキク科植物の茎葉花房、又はトウモロコシ雌蕊と花粉の輸送中に、如何なる方向に向けてもその運搬が可能である請求項６に記載の餌昆虫の運搬用装置。
【請求項９】
請求項１に記載の天敵昆虫の餌昆虫の運搬方法により運搬され、当該運搬容器内の餌昆虫が寄生した餌植物である、麦の茎葉；スベリヒユ、バーベナ、若しくはローマンカモミールなどのキク科植物の茎葉花房；又はトウモロコシ雌蕊と花粉を、農作物栽培圃場に予め育成した餌植物である麦類の茎葉あるいは花類の花弁に載せ、当該圃場内で餌昆虫を増殖させることを特徴とする天敵昆虫の餌昆虫の使用方法。
【請求項１０】
請求項１に記載の天敵昆虫の餌昆虫の運搬方法により運搬された当該餌昆虫がアブラムシ類であって、その天敵昆虫であるコレマンアブラバチ又はエルビーアブラバチを、さらに農作物栽培圃場において育成した麦類に放して、当該増加させた餌昆虫に寄生させて増殖させ、圃場内の天敵昆虫の生息量を増加させ、増加した当該天敵昆虫により、圃場に侵入した害虫であるアブラムシ類の増加を抑制することを特徴とする、請求項９に記載の天敵昆虫の餌昆虫の使用方法。
【請求項１１】
請求項１に記載の天敵昆虫の餌昆虫の運搬方法により運搬された当該餌昆虫がアザミウマ類であって、その天敵昆虫であるタイリクヒメハナカメムシ、デジェネランスカブリダニ、及びアリガタシマアザミウマを、さらに農作物栽培圃場において育成した花類の花弁に放して、当該増加させた餌昆虫に寄生させて増殖させ、圃場内の天敵昆虫の生息量を増加させ、増加した当該天敵昆虫により、圃場に侵入した害虫であるアザミウマ類の増加を抑制することを特徴とする請求項９に記載の天敵昆虫の餌昆虫の使用方法。
【発明の詳細な説明】
【技術分野】
【０００１】
本発明は農作物を害虫の被害から保護するために用いる天敵昆虫の餌昆虫及びその餌植物の運搬方法、その方法に使用する運搬用装置、並びに天敵昆虫の餌昆虫の使用方法に関するものである。
【背景技術】
【０００２】
従来から、農作物の害虫防除を目的として、当該害虫の天敵昆虫を栽培圃場内に放すという方法は広く採用されてきた（特許文献１）。しかし、圃場内に天敵昆虫の餌となる害虫がいない場合は、放した天敵昆虫が死亡してしまうため、害虫と同じ種類で作物を加害しない餌となる昆虫を増加させて天敵昆虫を放すという方法が提案されている（特許文献２）。一方、天敵昆虫の餌昆虫は、餌となる植物がないと増加できないため、圃場内に餌植物を栽培する必要がある。また、餌となる植物ではなく、餌となる昆虫が集合する素材を圃場内に配置して、餌昆虫を呼び寄せ、天敵昆虫に捕食させて増加させる方法も提案されている（特許文献３）。
【０００３】
一方、天敵昆虫を利用した害虫防除のために、天敵昆虫の餌昆虫とその餌植物とを、パックに詰めて販売することが従来から行われてきた。この方法は、パック容器に詰めた土壌に、餌植物の種子を播種し、発芽したその茎葉に餌昆虫を寄生させて運搬する方法であった。
しかしながら、この方法ではパックを運搬するときに、中身が反転して植物や昆虫と土壌が混ざり、機能を果たさなくなることが多かった。すなわち、運搬中に落としたり、傾けたりすると、土壌が植物と混ざり合い、パック中の餌昆虫が死滅したり、数が減少したりするという問題があった。さらには、水分が結露してしまい、パック中の昆虫が羽をとられて死亡する例も見られた。
【特許文献１】特開２００３−７９２７１号公報
【特許文献２】特開２００３−９２９６２号公報
【特許文献３】特願２００４−３５７７８５号
【発明の開示】
【発明が解決しようとする課題】
【０００４】
最も一般的な方法として、害虫アブラムシ類の天敵昆虫であるコレマンアブラバチの餌昆虫であるアブラムシ類を運搬するために、プラスチック容器に入れた土に、餌植物となる小麦の種子を播種し、発芽した麦にムギクビレアブラムシを寄生させて運ぶ方法がとられている。しかし、この方法では１０件に１件程度は、運搬中の衝撃で土と小麦が混ざり合い使用できなくなっていた。また、葉からの結露により、死亡する餌昆虫の個体が数１０％の割合で発生していた。かかる問題に対しては有効な解決方法がなく、解決すべき課題となっていた。
【０００５】
また、容器で運搬され圃場に到着した、餌昆虫であるアブラムシ類及びその餌植物は、容器からポットや畦に移植され及び植え替えられ栽培されている。圃場に植え替えられ栽培された餌植物上で、餌昆虫であるムギクビレアブラムシは増加し、次いで放した天敵昆虫がそのムギクビレアブラムシを捕食して増加することになる。しかし、この方法では、餌植物の成長と餌昆虫の増加を待たねばならず、このため、餌昆虫を入れてから天敵を導入するまでに相当の時間を要することになる。害虫防除の観点から、餌昆虫を入れてから天敵を導入するまでの間隔はできるだけ短いほうが望ましく、この間隔を短くする必要もあった。
【０００６】
上述した種々の問題は、アブラムシ類の天敵昆虫であるコレマンアブラバチを利用する場合に限られるものではない。例えば、アザミウマ類の天敵昆虫であるタイリクヒメハナカメムシ、デジェネランスカブリダニ、及びアリガタシマアザミウマの利用に当たっても、同様に解決を要する課題となっている。すなわち、圃場施設内に害虫種のアザミウマ類が増加した後に、その天敵昆虫を放しても天敵昆虫による害虫の防除効果は十分ではない。このため、農作物に被害を及ぼさない種類のアザミウマ類を圃場内で増加させ、そこに速やかに天敵昆虫を放す方法の開発が求められていた。
【課題を解決するための手段】
【０００７】
本発明は上記問題点を解決するためになされたものであって、天敵昆虫の餌昆虫を餌植物に寄生させ、その植物体の茎若しくは葉又は花房のみを切り取って容器に詰め運搬し、上述した運搬上のトラブルを防ぐことを目的とする。加えて、天敵昆虫を放す予定の圃場で、予め栽培していた餌植物の上に、運搬された当該餌昆虫が寄生した餌植物体を載せることで、餌昆虫を接種して増加させ、当該餌昆虫を捕食し寄生する天敵昆虫を増やし、かつ害虫防除における天敵昆虫の利用開始期間をも早めることを目的とする。
【０００８】
本発明の天敵餌昆虫及び餌植物の運搬方法及びその方法に用いられる装置は、例えば、農作物施設栽培における害虫防除のために用いられる天敵昆虫であるアブラバチ類、例えば、コレマンアブラバチ、エルビーアブラバチなどの餌昆虫であるムギクビレアブラムシ、ムギヒゲナガアブラムシなどを利用するために使用できる。この場合に殺虫防除の対象となる害虫は、アブラムシ類が挙げられる。また、天敵昆虫であるタイリクヒメハナカメムシ、デジェネランスカブリダニ及びアリガタシマアザミウマの餌昆虫であるアザミウマ類を利用するためにも使用できる。しかしながら、本発明は上記の天敵昆虫や餌昆虫の利用及び対象害虫の防除に限定されるものではない。
【０００９】
上記目的を達成するための本発明の天敵昆虫の餌昆虫の運搬方法は、天敵昆虫の餌となる昆虫と餌昆虫の餌植物とを、緩衝材を備えた装置となる容器内に入れて輸送、運搬し、農作物栽培圃場において予め育てた餌昆虫の餌植物上に運搬した餌昆虫を放し、その後に天敵昆虫を放して餌昆虫に寄生させて増殖させることにより、害虫の増加を抑制し農作物の被害を未然に防ぐことを特徴とする。
また、本発明は、上記の天敵昆虫の餌昆虫の運搬方法に使用するための装置であって、天敵昆虫の餌となる昆虫と餌昆虫の餌植物とを保護するための緩衝材を容器内に備えた、天敵昆虫の餌昆虫の運搬用装置を提供する。
【００１０】
本発明の天敵昆虫の餌昆虫の運搬方法は、例えば、餌昆虫がアブラムシ類であり、天敵昆虫がアブラバチ類であり、餌植物がイネ科植物、好ましくは麦類の茎葉である場合に、餌昆虫であるアブラムシ類が寄生した茎葉のみを切り集めて本発明の天敵昆虫の餌昆虫の運搬用装置に入れ、輸送、運搬することができる。ここで、餌昆虫であるアブラムシ類としては、ムギクビレアブラムシ又はムギヒゲナガアブラムシを例示することができる。そして、餌昆虫がムギクビレアブラムシの場合は、天敵昆虫としてコレマンアブラバチを、餌昆虫がムギヒゲナガアブラムシの場合は、天敵昆虫としてエルビーアブラバチを利用することができる。
【００１１】
また、本発明の天敵昆虫の餌昆虫の運搬方法は、餌昆虫がアザミウマ類（例えばハナアザミウマ）であり、天敵昆虫がタイリクヒメハナカメムシ、デジェネランスカブリダニ及びアリガタシマアザミウマなどのカメムシ類、ダニ類及びアザミウマ類である場合には、餌植物としてスベリヒユ（ポーチュラカなどのスベリヒユ科植物）、バーベナ、ローマンカモミールのようなキク科植物、及びトウモロコシ雌蕊と花粉から選ばれる１種以上を使用することができ、餌昆虫が寄生したこれらの餌植物の茎葉花房又は雌蕊と花粉のみを切り集めて、本発明の天敵昆虫の餌昆虫の運搬用装置に入れ、輸送、運搬することができる。
【００１２】
本発明の天敵昆虫の餌昆虫の運搬用装置は、餌昆虫及び餌植物を入れて輸送、運搬する装置であって、上述の通り、本発明の天敵昆虫の餌昆虫の運搬方法に使用することができる。当該装置は、プラスチック製の円筒形若しくは直方体の容器又は袋状の外形を呈し、外部からの圧迫により破壊し難く、かつ内壁に当該餌昆虫を保護する目的で緩衝材を配置することができる。当該緩衝材としては、凸凹のない紙、綿、ポリエステルなどの素材でできた不織布などを例示することができる。
【００１３】
本発明の天敵昆虫の餌昆虫の運搬用装置として、例えば、プラスチック製の袋状の外形を呈する容器を使用することができ、餌昆虫及び餌植物を入れる当該プラスチック製の袋状の容器は、例えば、プラスチックで成型された骨格を有することができる。かかる袋状の容器に、例えば、餌昆虫としてムギクビレアブラムシ（無翅虫）又はムギヒゲナガアブラムシ（無翅虫）を、餌植物として麦の茎葉を入れ、輸送、運搬することができる。また、餌昆虫としてハナアザミウマなどのアザミウマ類を、餌植物としてスベリヒユ（ポーチュラカなどのスベリヒユ科植物）、バーベナ、若しくはローマンカモミールなどのキク科植物の茎葉花房、又はトウモロコシ雌蕊と花粉などを入れて輸送、運搬することもできる。本発明の運搬用装置によれば、餌昆虫及び餌植物の輸送中に、装置を如何なる方向に向けても、容器中の餌昆虫及び餌植物に何ら悪影響を与えることなく運搬することが可能である。
【００１４】
さらに、本発明は、上記本発明の餌昆虫の運搬方法により運搬され、本発明の運搬用装置内の餌昆虫が寄生した餌植物を、農作物栽培圃場に予め育成した餌植物に載せることにより、当該圃場内で餌昆虫を増殖させることを特徴とする天敵昆虫の餌昆虫の使用方法を提供する。前述の通り、餌昆虫がムギクビレアブラムシ又はムギヒゲナガアブラムシなどのアブラムシ類である場合は、餌植物として麦類の茎葉を使用し、餌昆虫がアザミウマ類である場合は、餌植物としてスベリヒユ（ポーチュラカなどのスベリヒユ科植物）、バーベナ若しくはローマンカモミールなどのキク科植物の茎葉花房、又はトウモロコシ雌蕊と花粉を使用することができる。運搬用装置内に入れた餌昆虫は、装置内でこれらの餌植物に寄生するので、農作物栽培圃場に運搬後に、装置から餌昆虫が寄生した餌植物を取り出し、農作物栽培圃場に予め育成した餌植物である麦類の茎葉あるいは上記花類の花弁に載せることにより、当該圃場内で餌昆虫を増殖させることができる。すなわち、運搬用装置内の餌昆虫が寄生した餌植物を、農作物栽培圃場に予め育成した餌植物である麦類の茎葉あるいは上記花類の花弁に載せることにより、圃場で育成した餌植物によって餌昆虫が効果的に増殖する。このように当該餌昆虫を増殖させることにより、当該餌昆虫に寄生する天敵昆虫の生息量を効果的に増殖させることができ、その結果、圃場内の害虫の増加を抑制することができる。
【００１５】
上記の本発明による天敵昆虫の餌昆虫の使用方法は、本発明の餌昆虫の運搬方法により運搬された餌昆虫がアブラムシ類である場合、アブラムシ類の天敵昆虫であるアブラバチ類、好ましくはコレマンアブラバチ又はエルビーアブラバチを、さらに農作物栽培圃場に予め育成した餌植物である麦類の茎葉に放して、当該餌昆虫に寄生させて増殖させ、圃場内の天敵昆虫の生息量を増やし、圃場に侵入し増加する農作物にとっての害虫であるアブラムシ類の増加を抑制することができる。
【００１６】
上記の本発明による天敵昆虫の餌昆虫の使用方法は、本発明の餌昆虫の運搬方法により運搬された餌昆虫がアザミウマ類である場合、アザミウマ類の天敵昆虫であるタイリクヒメハナカメムシ、デジェネランスカブリダニ、及びアリガタシマアザミウマを、さらに農作物栽培圃場に予め育成した餌植物であるスベリヒユ（ポーチュラカなどのスベリヒユ科植物）、バーベナ、ローマンカモミールなどのキク科植物の茎葉花上に放して、当該餌昆虫に寄生させて増殖させ、圃場内の天敵昆虫の生息量を増やし、圃場に侵入し増加する農作物にとっての害虫であるアザミウマ類の増加を抑制することができる。
【発明の効果】
【００１７】
本発明の天敵昆虫の餌昆虫の運搬方法およびその装置によれば、天敵昆虫の餌昆虫と餌昆虫の餌植物とを緩衝材とともに運搬装置に入れることにより、多量の餌昆虫を輸送、運搬することができる。また、運搬した餌昆虫及び餌昆虫が寄生した餌植物を、農作物栽培圃場において予め育てた餌昆虫の餌植物上に放し及び載せ、餌昆虫を増加させておき、そこに天敵昆虫を放すことにより、天敵昆虫の増殖効率を向上させることが可能となる。従って、本発明の天敵昆虫の餌昆虫の運搬方法およびその装置により、効果的に天敵昆虫を増殖させることができ、農作物圃場の害虫の増加を抑制し農作物の被害を未然に防ぐことができる。
【００１８】
また、本発明の天敵昆虫の餌昆虫の運搬方法およびその装置によれば、例えば、餌昆虫がムギクビレアブラムシ又はムギヒゲナガアブラムシなどのアブラムシ類であり、天敵昆虫がコレマンアブラバチ又はエルビーアブラバチなどのアブラバチ類であり、餌植物が麦類などのイネ科植物である場合には、当該餌昆虫であるアブラムシ類が寄生している茎及び／又は葉のみを切り集めて装置内の容器に入れることにより、著しく軽量かつコンパクトに多数の餌昆虫であるアブラムシ類を輸送し、運搬することができる。
【００１９】
同様に、餌昆虫がハナアザミウマなどのアザミウマ類であり、天敵昆虫がタイリクヒメハナカメムシ、デジェネランスカブリダニ及びアリガタシマアザミウマなどのカメムシ類、ダニ類及びアザミウマ類であり、餌植物がスベリヒユ（ポーチュラカなどのスベリヒユ科植物）、バーベナ、ローマンカモミールなどのキク科植物、又はトウモロコシ雌蕊と花粉である場合には、当該餌昆虫であるアザミウマ類が寄生している茎、葉、花房などを切り集めて装置内の容器に入れることにより、軽量かつコンパクトに多数の餌昆虫であるアザミウマ類を輸送し、運搬することができる。
【００２０】
餌昆虫及び餌植物を入れて運搬する、本発明の天敵昆虫の餌昆虫の運搬用装置は、プラスチック製の円筒形若しくは直方体の容器又は袋状の外形を呈し、外部からの圧迫により破壊し難く、かつ内壁には餌昆虫を保護する目的で緩衝材が配置される。本発明の天敵昆虫の餌昆虫の運搬用装置によれば、輸送、運搬中に餌昆虫が容器内の陥没部などに引っ掛かったり、露により死亡したりすることがなく、餌昆虫を損傷することなく輸送し運搬することができる。例えば、かかる装置として用いられるプラスチック製の袋状の容器は、プラスチックなどにより成型された骨格を有することができるため、軽量且つコンパクトでありながら頑丈である。従って、餌昆虫及び餌植物を入れて輸送する際に、如何なる方向に向けても運搬が可能であり、著しく輸送、運搬がしやすいものである。
【００２１】
本発明の天敵昆虫の餌昆虫の使用方法によれば、運搬用装置内の餌昆虫が寄生した餌植物、例えば、餌昆虫であるムギクビレアブラムシ又はムギヒゲナガアブラムシが寄生した麦の茎葉、あるいは、餌昆虫であるアザミウマ類が寄生したスベリヒユ（ポーチュラカなどのスベリヒユ科植物）、バーベナ、ローマンカモミールなどのキク科植物の茎、葉若しくは花房、又はトウモロコシ雌蕊と花粉などを運搬し、これを作物栽培圃場に予め育成した麦類の茎葉または花類の花弁に載せるだけで、圃場内で餌昆虫を効果的に増加させることができる。
【００２２】
従って、本発明の天敵昆虫の餌昆虫の使用方法によれば、餌昆虫であるムギクビレアブラムシ又はムギヒゲナガアブラムシなどのアブラムシ類の天敵昆虫であるコレマンアブラバチ又はエルビーアブラバチなどのアブラバチ類を、さらに上記の作物栽培圃場に予め育成した麦類の茎葉類に放して、増加させた餌植物に寄生させて増殖させ、圃場内の天敵昆虫の生息量を増加させることにより、増加した天敵昆虫により圃場に侵入した害虫であるアブラムシ類の増加を効率的に抑制することが可能となる。
【００２３】
同様に、本発明の天敵昆虫の餌昆虫の使用方法によれば、餌昆虫であるハナアザミウマなどのアザミウマ類の天敵昆虫であるタイリクヒメハナカメムシ、デジェネランスカブリダニ及びアリガタシマアザミウマなどのカメムシ類、ダニ類及びアザミウマ類を、さらに上記の作物栽培圃場に予め育成したスベリヒユ（ポーチュラカなどのスベリヒユ科植物）、バーベナ、ローマンカモミールなどのキク科植物の茎、葉若しくは花弁に放して、増加させた餌植物に寄生させて増殖させ、圃場内での天敵昆虫の生息量を増加させることにより、増加した天敵昆虫により圃場に侵入した害虫であるアザミウマ類の増加を効率的に抑制することが可能となる。
【発明を実施するための最良の形態】
【００２４】
以下、本発明の実施形態につき、図面を併用して詳細に説明する。
図１の上部に示す餌昆虫と餌植物の運搬装置の例は、円筒形の容器１１内の上下左右に保護緩衝材１３を張り、容器１１の上を蓋１２で閉めたものである。容器１１の中には、餌植物の茎葉や花１４が入れられ、その中に餌昆虫１５が寄生している。
【００２５】
まず、図１の下部に示すように、別途の容器に土を敷き水分を与えて栽培した餌植物に、例えばアブラムシ類などの餌昆虫を寄生させ、ここから、餌昆虫が寄生した餌植物の茎葉や花を切り集める。次に、切り集めた餌植物の茎葉や花１４を裁断して、保護緩衝材１３を張った容器１１の中に入れ、蓋１２をして、図１の上部に示すような餌昆虫と餌植物の運搬装置とすることができる。あるいは、餌植物の茎葉や花１４と餌昆虫１５とをそれぞれ別個に準備してから、容器１１に入れて、図１の上部に示すような餌昆虫と餌植物の運搬装置とすることもできる。
図１に示すように、保護緩衝材１３を設ければ、容器内の昆虫は足などをもぎ取られたり、溢出した水滴により羽などをとられて死亡したりすることが少なくなる。また、保護緩衝材は、日光により容器内部が過湿状態になったり、高温になったりすることも防ぐ機能を有する。保護緩衝材がない状態では、通常、昆虫は２日間以内でほぼ死滅してしまうが、本発明の運搬用装置を使用した餌昆虫の運搬方法によれば、少なくとも５日以上生存することができるため、餌昆虫の運搬に著しく便利である。
【００２６】
図２に示す餌昆虫と餌植物の運搬装置の例は、袋状の容器１１内に、プラスチックなどで成型された骨格１６を入れて、容器１１が外部からの力で破損することを防ぎ、また、図１と同様に保護緩衝材１３を入れて容器内に入れた餌植物の茎葉や花１４及び餌昆虫１５を保護するものである。このような袋状の容器の大きさは用途に合わせて自由に変更できるが、例えば封書サイズのものは、著しくコンパクトでありながら多数の餌昆虫が運べるという利点がある。
容器に入れる餌植物１４は容器内で紙ばさみでとめてもよいが、餌植物の大きさを、容器の長さと同じか、あるいはそれ以上に切り取ることにより、運搬するときに片寄りをなくすことができる。また、餌植物の大きさをこのように調節することにより、餌昆虫が圧殺されることを防止できる。
【００２７】
以上の形態によって発揮される効果を明らかにするため、試験例を以下に記載する。
【実施例】
【００２８】
（試験例１）
図１(カップ麺容器大)及び図２(封筒大)に示す運搬装置の中に、餌植物として長さ１０ｃｍに切りそろえた小麦の葉茎１００本と、餌昆虫としてムギクビレアブラムシ２００頭を入れて、２３℃の部屋に１０日間静置し、５日後及び１０日後のムギクビレアブラムシの生存頭数を調べた。なお、対照として小麦を入れず、藁２０本を入れた区（無餌植物）及び容器内に土を入れて小麦を播種し１５０本を発芽させた区（土付き小麦茎葉）も設置した。結果を表１に示す。
【表１】
2006230229.tif 000003
【００２９】
５日後及び１０日後には図１の装置内（小麦茎葉のみ）では各々１８８頭及び１６０頭のムギクビレアブラムシの生存が認められた。図２の装置内（小麦茎葉のみ）では各々１８７頭及び１４４頭が生存していた。小麦を土に播種した区（土付き小麦茎葉）では５日後に１９０頭及び１０日後に１７５頭が生存していたが、その一方で、藁を入れた区（無餌植物）では５日後にすべてが死亡していた。
この結果は、５日〜１０日間程度であれば、土に播種した小麦で餌昆虫を飼育する場合と変わらない程度に、上記の装置を利用した本発明の方法により、餌昆虫の生存を維持できることを示すものである。また、これらの結果から、餌昆虫としてムギヒゲナガアブラムシを使用した場合でも、同様の結果が得られることは明らかである。
【００３０】
（試験例２）
図１(カップ麺容器大)及び図２(封筒大)に示す運搬装置の中に、餌植物として、バーベナ１０本、スベリヒユ１０本、ローマンカモミール、スカエボラ及びウエデリアの葉茎１０本及びそれらの花房を各々５個ずつ、及びトウモロコシ雌蘂２房と花粉をそれぞれ入れた。さらに、各餌植物につき、餌昆虫としてハナアザミウマ２０頭を入れて、２５℃の部屋に１０日間静置し、５日後及び１０日後のハナアザミウマの生存頭数を調べた。なお、対照として餌植物を入れなかった区（餌なし区）も設置した。図１の運搬装置における結果を表２に示す。
【表２】
2006230229.tif 000004
【００３１】
図１の装置内で生息が確認されたハナアザミウマ数は、バーベナ区では５日後が１５頭、１０日後は３０頭以上であった。スベリヒユ区では、各々１４頭と３０頭以上、ローマンカモミール区では各々１５頭と３０頭以上、トウモロコシ雌蕊と花粉では各々１７頭と０頭であった。また、餌植物を入れなかった区（餌なし区）では２日後にすべての死亡が認められた。図２の装置でもほぼ同様の結果が得られた。
【００３２】
（試験例３）
図１に示す装置１(カップ麺容器大)の中に、餌植物であるバーベナの葉茎及び花と、餌昆虫であるハナアザミウマとして、ヒラズハナアザミウマ、ミナミキイロアザミウマ、キイロハナアザミウマ、ネギアザミウマ及びハナアザミウマを各々２０頭入れて、２５℃の部屋に１０日間静置し、５日後及び１０日後の各ハナアザミウマの生存頭数を調べた。なお、対照として餌植物を入れなかった区（餌なし区）も設置した。結果を表３に示す。
【表３】
2006230229.tif 000005
【００３３】
いずれのハナアザミウマも１０日後に、８割以上の数の生息が認められた。この結果から、バーべナを餌植物として利用して、餌昆虫である各種のアザミウマ類を飼育できることが示された。
【００３４】
（試験例４）
図１(カップ麺容器大)及び図２(封筒大)に示す運搬装置において、保護緩衝材として、ウレタンマット、綿製不織布、再生紙、ポリプロピレン不織布、及びティシュペーパーを容器の内壁に貼り付けたものを各々準備した。各装置内に、餌植物として小麦の茎葉を、餌昆虫としてムギクビレアブラムシ２０頭を入れ、２５℃の部屋内に１０日間静置し、５日後及び１０日後のムギクビレアブラムシの生存頭数を調べた。結果を表４に示す。
なお、対照として保護緩衝材を入れなかった区（無処理区）も設置した。
【表４】
2006230229.tif 000006
【００３５】
表４の結果から、ポリプロピレン不織布のみで生息数がほとんど減少しなかったことがわかる。他の保護緩衝材は、いずれもムギクビレアブラムシの死亡率が高かった。この要因としては、ポリプロピレン不織布は、虫の足が引っ掛かりにくいこと、及び容器内の湿度を保持する機能が高いことが挙げられる。
【００３６】
（試験例５）
図１(カップ麺容器大)の装置を用いて、餌昆虫であるムギクビレアブラムシと餌植物である麦の茎葉を、３日間運搬、輸送した後、装置内から取り出し、予めイチゴ栽培圃場内の５カ所に栽培しておいた餌植物である小麦上に静かに置いた。さらに１７日後に、天敵昆虫であるコレマンアブラバチ５００頭を当該小麦上に放し、３０日後に、害虫によるイチゴの寄生株率を調べ、害虫であるアブラムシ類（ワタアブラムシ）に対する防除効果を調べた。
同様にして、餌昆虫であるハナアザミウマと餌植物であるローマンカモミールの花房を３日間運搬、輸送した後、予めイチゴ栽培圃場内に１０カ所に栽培しておいた餌植物であるバーベナ株の花の上に静かに置いた。さらに１２日後に、天敵昆虫であるタイリクヒメハナカメムシ、デジェネランスカブリダニ、及びアリガタシマアザミウマを各々２０００頭、１００００頭及び２０００頭放し、３０日後に、害虫によるイチゴの花の寄生花率を調べ、害虫であるアザミウマ類（ヒラズハナアザミウマ）に対する防除効果を調べた。
結果を表５に示す。表５中、「タイリク」はタイリクヒメハナカメムシを、「カブリダニ」はデジェネランスカブリダニを、「アリガタ」はアリガタシマアザミウマを表す。
なお、対照として化学農薬で防除した区（化学農薬散布区）及び無処理区を設けた。
【表５】
2006230229.tif 000007
【００３７】
３０日後の、イチゴ栽培圃場における害虫であるワタアブラムシの寄生株率は、天敵昆虫を放した区（餌昆虫と天敵区）では０％であった。化学農薬を散布した区でも寄生株の発生はなかったが、無処理区では３０％以上の株に発生が認められた。
害虫アザミウマ類の３０日後の寄生花率は、タイリクヒメハナカメムシ区で１０％、デジェネランスカブリダニ区で１５％、及びアリガタシマアザミウマ区で４％であった。一方、化学農薬散布区では２７％、無防除区では８５％の害虫寄生花率を示した。
すなわち、本発明の運搬方法及び運搬装置により、予め餌植物を栽培し餌昆虫を増やした区では、害虫の高い防除効果が認められたものである。この結果は、本発明の方法及び装置の有効性を示すものである。
【００３８】
（試験例６）
図１(カップ麺容器大)の装置を用いて、餌昆虫であるムギヒゲナガアブラムシと餌植物である麦の茎葉を３日間運搬、輸送した後、装置内から取り出して、予めピーマン栽培圃場内の５カ所に栽培しておいた餌植物である小麦上に静かに置いた。さらに１７日後に天敵昆虫であるエルビーアブラバチ１００頭を当該小麦の上に放し、３０日後に、害虫によるピーマンの寄生株率を調べ、害虫であるチューリップヒゲナガアブラムシに対する防除効果を調べた。
同様にして、餌昆虫であるハナアザミウマと餌植物であるトウモロコシ雌蕊と花粉を入れた容器を３日間運搬し、輸送した後、予めピーマン栽培圃場内に１０カ所に栽培しておいた餌植物であるバーベナ株の花の上に静かに置いた。さらに１２日後にタイリクヒメハナカメムシ、デジェネランスカブリダニ、及びアリガタシマアザミウマを各々２０００頭、１００００頭及び２０００頭放し、３０日後の寄生花率を調べ、害虫であるアザミウマ類（ヒラズハナアザミウマ）に対する防除効果を調べた。
結果を表６に示す。表６中、「タイリク」はタイリクヒメハナカメムシを、「カブリダニ」はデジェネランスカブリダニを、「アリガタ」はアリガタシマアザミウマを表す。なお、対照として化学農薬で防除した区（化学農薬散布区）及び無処理区を設けた。
【表６】
2006230229.tif 000008
【００３９】
３０日後の、ピーマン栽培圃場における害虫であるチューリップヒゲナガアブラムシの寄生株率は、天敵を放した区（餌昆虫と天敵区）では０％であった。化学農薬を散布した区でも寄生株の発生はなかったが、無処理区では３０％以上の株に害虫の発生が認められた。
害虫アザミウマ類の３０日後の寄生花率は、天敵を放した区（餌昆虫と天敵区）では、タイリクヒメハナカメムシ区で２％、デジェネランスカブリダニ区で０％、アリガタシマアザミウマ区で８％であった。一方、化学農薬散布区では８０％、無処理区では９０％以上の寄生花率を示した。
すなわち、本発明の運搬方法及び運搬装置により、予め餌植物を栽培し餌昆虫を増やした区では、害虫の高い防除効果が認められたものである。この結果は、本発明の方法及び装置の有効性を示すものである。
【００４０】
（試験例７）
図２(封筒大)に示す装置に、餌昆虫であるムギクビレアブラムシ２００頭と餌植物である麦の茎葉１００本を入れ、宅配便にて東京都内から大阪市内に搬送した（搬送区）。搬送には２日間を要した。２日後の装置内部の状況と虫の生存数を調べた。
対照として、振動を極力少なくして輸送し運搬した同様の装置（持参区）、及び無処理区についても、装置内部の状況と虫の生存数を調べた。各装置の大きさは封筒大であり、各々の区の装置内には保護緩衝材を貼り付けた。
また、同様の試験を、餌昆虫としてハナアザミウマ、餌植物としてローマンカモミールの花房を使用して行った。但し、この場合、花房は紐で固定した。
結果を表７に示す。
【表７】
2006230229.tif 000009
【００４１】
宅配便で搬送した装置内の麦の茎葉には変化がなく、内部にいれたムギクビレアブラムシも１０頭程度が死亡したのみであった（搬送区）。丁寧に取り扱った装置でもほぼ同様であった（持参区）。また、無処理区におけるムギクビレアブラムシはすべてが死亡していた。
ハナアザミウマ類を使用した場合は、搬送区及び持参区において、餌昆虫は花房内に密集して生存しており、死亡したアザミウマ類はいなかった。一方、無処理区では、すべてのアザミウマ類が死亡していた。
これらの結果から、本発明の餌昆虫の運搬方法及び運搬装置は、郵送などによる運搬にも耐えられる実用性の高い方法及び装置であることが示された。
【図面の簡単な説明】
【００４２】
【図１】本発明による天敵昆虫の餌昆虫及び餌植物の運搬装置の概略図である。
【図２】本発明による天敵昆虫の餌昆虫及び餌植物の袋状の運搬装置の概略図である。
【符号の説明】
【００４３】
１１  容器
１２  容器蓋
１３  保護緩衝材
１４  餌植物の茎葉や花
１５  餌昆虫
１６  成型された骨格
【図１】
2006230229.tif 000010
【図２】
2006230229.tif 000011